(57)【要約】【課題】リアリティを持って具体的な仕上がりを、実際にイメージしながらヘアカラーを選定する。【解決手段】顧客にヘアカラーを選定させるための複数の異なる色に染色された前髪ウィッグを備えたヘアカラーチャートであって、前記前髪ウィッグは、前記顧客の頭部の所定位置に着脱自在に取り付けられる取り付け部と、顔の額の所定の領域以上を覆う前髪部分と、顔のサイドの輪郭に沿って流れるサイド部分とを含むことにより上記課題を解決する。【選択図】図２
2011143080.tif 000002
【特許請求の範囲】
【請求項１】
顧客にヘアカラーを選定させるための複数の異なる色に染色された前髪ウィッグを備えたヘアカラーチャートであって、
前記前髪ウィッグは、
前記顧客の頭部の所定位置に着脱自在に取り付けられる取り付け部と、
顔の額の所定の領域以上を覆う前髪部分と、
顔のサイドの輪郭に沿って流れるサイド部分とを含むことを特徴とするヘアカラーチャート。
【請求項２】
前記前髪ウィッグは、
明るさと色相によって表される複数の異なる色に染色されていることを特徴とする請求項１に記載のヘアカラーチャート。
【請求項３】
前記前髪ウィッグは、
人毛又は耐熱用の化繊毛であることを特徴とする請求項１又は２に記載のヘアカラーチャート。
【請求項４】
顧客にヘアカラーを選定させるためのヘアカラー選定方法において、
請求項１乃至３の何れか一項に記載のヘアカラーチャートから、前記顧客が試着する前髪ウィッグを選択する前髪ウィッグ選択段階と、
前記前髪ウィッグ選択段階により選択した前髪ウィッグを、前記顧客がヘアカラー施術後の仕上がりをイメージするために試着する前髪ウィッグ試着段階と、
前記前髪ウィッグ試着段階により試着した前髪ウィッグから、前記顧客にヘアカラーを施術するためのヘアカラーを選定するヘアカラー選定段階とを有することを特徴とするヘアカラー選定方法。
【請求項５】
前記前髪ウィッグ試着段階は、
前記顧客の頭部の所定位置に前記選択した前髪ウィッグを着け、前記前髪ウィッグを加熱する加熱手段を用いて、前記選択した前髪ウィッグの前髪部分に丸みを形成し、前記選択した前髪ウィッグを着けた前記顧客の顔の輪郭に、前記選択した前髪ウィッグの毛の流れを馴染ませるように調整することを特徴とする請求項４に記載のヘアカラー選定方法。
【請求項６】
前記ヘアカラー選定段階は、前記顧客の眉色をメイクする眉色メイク段階を有し、前記眉色メイク段階によりメイクした顧客の眉色との組み合わせによってヘアカラーを選定することを特徴とする請求項４又は５に記載のヘアカラー選定方法。
【発明の詳細な説明】
【技術分野】
【０００１】
本発明は、美容方法で用いられるヘアカラーチャート、及びヘアカラー選定方法に関する。
【背景技術】
【０００２】
従来から、カラーリング剤を用いて髪の色を染色するヘアカラーによって、顔全体のイメージを変化させることが行われている。しかしながら、ヘアカラーは、例えば化粧料のように、購入前に、実際に試用して商品を選択することができない。そのため、例えばサロンや美容室等においてヘアカラーを行う場合には、ヘアカラーの色選びのために複数の色に染色されたナイロン毛の毛束サンプルのカラーチャートを用いてヘアカラーを選定するしかなかった。
【０００３】
しかしながら、このような小さな毛束サンプルでは、顧客は、ヘアカラー施術後の仕上がりのイメージがしにくく、仮に自分に似合う色としてイメージしたとしても、実際には、ヘアカラー施術後のイメージが、当初のイメージとずれている場合が多かった。また、美容師等の施術者としても、顧客とのカウンセリング時において、ヘアカラー施術後のイメージが顧客との間で異なりやすく、顧客と施術者との間でヘアカラー後のイメージの共有化を図ることが難しかった。
【０００４】
そこで、従来では、例えば顧客をカメラで撮影し、撮影された画像を用いて仮想的にヘアカラーシミュレーションを行い、ヘアカラー施術後を予想した顔画像を画面に表示するヘアカラーシミュレーション方法に関する技術が開示されている（例えば、特許文献１参照。）。
【先行技術文献】
【特許文献】
【０００５】
【特許文献１】特許第４２４８９５９号公報
【発明の概要】
【発明が解決しようとする課題】
【０００６】
しかしながら、上記特許文献１に示されるヘアカラーシミュレーションの場合には、ヘアカラー施術後を予想した術後の顔画像にリアリティがないため、画面上で確認した顔画像と、実際に染色した実物とではイメージが異なっていた。すなわち、シミュレーション後の画面からは、実際に、選んだヘアカラーが自分に似合っているか、例えば自分の肌や目の色に合っているか分からなかった。
【０００７】
したがって、ヘアカラーシミュレーションでは、顧客や美容師が求めているヘアカラーを的確にイメージすることができず、顧客と施術者との間でヘアカラー施術後のイメージに対し共通の認識をもつことや、顧客にヘアカラー選定に対する安心感を与えることができなかった。
【０００８】
本発明は、上記の点に鑑みてなされたものであり、具体的な仕上がりを、実際にイメージしながらヘアカラーを選定するためのヘアカラーチャート及びヘアカラー選定方法を提供することを目的とする。
【課題を解決するための手段】
【０００９】
本発明は、上記目的を達成するために、顧客にヘアカラーを選定させるための複数の異なる色に染色された前髪ウィッグを備えたヘアカラーチャートであって、前記前髪ウィッグは、前記顧客の頭部の所定位置に着脱自在に取り付けられる取り付け部と、顔の額の所定の領域以上を覆う前髪部分と、顔のサイドの輪郭に沿って流れるサイド部分とを含むことを特徴とする。
【００１０】
また、本発明は、前記前髪ウィッグは、明るさと色相によって表される複数の異なる色に染色され、前記前髪ウィッグは、人毛又は耐熱用の化繊毛であることを特徴とする。
【００１１】
また、本発明は、顧客にヘアカラーを選定させるためのヘアカラー選定方法において、上述の複数の異なる色に染色された前髪ウィッグを備えたヘアカラーチャートから、前記顧客が試着する前髪ウィッグを選択する前髪ウィッグ選択段階と、前記前髪ウィッグ選択段階により選択した前髪ウィッグを、前記顧客がヘアカラー施術後の仕上がりをイメージするために試着する前髪ウィッグ試着段階と、前記前髪ウィッグ試着段階により試着した前髪ウィッグから、前記顧客にヘアカラーを施術するためのヘアカラーを選定するヘアカラー選定段階とを有することを特徴とする。
【００１２】
また、本発明は、前記前髪ウィッグ試着段階は、前記顧客の頭部の所定位置に前記選択した前髪ウィッグを着け、前記前髪ウィッグを加熱する加熱手段を用いて、前記選択した前髪ウィッグの前髪部分に丸みを形成し、前記選択した前髪ウィッグを着けた前記顧客の顔の輪郭に、前記選択した前髪ウィッグの毛の流れを馴染ませるように調整することを特徴とする。
【００１３】
また、本発明は、前記ヘアカラー選定段階は、前記顧客の眉色をメイクする眉色メイク段階を有し、前記眉色メイク段階によりメイクした顧客の眉色との組み合わせによってヘアカラーを選定することを特徴とする。
【発明の効果】
【００１４】
本発明によれば、実際に染色された前髪ウィッグを使うことで、リアリティを持って具体的な仕上がりを、実際にイメージしながらヘアカラーを選定することが可能となる。
【図面の簡単な説明】
【００１５】
【図１】従来のヘアカラー選定のためのヘアカラーチャートを示す図である。
【図２】本実施形態に係るヘアカラー選定用に染色された前髪ウィッグを備えたヘアカラーチャートの一例を示す図である。
【図３】本実施形態に係るヘアカラー選定手法を説明するための一例のフローチャートである。
【図４】Ｓ０２の処理において顧客が行うヘアバンド装着の一例を示す図である。
【図５】ヘアカラーチャートを構成する前髪ウィッグの具体例を示す図である。
【図６】前髪ウィッグを着ける顧客の頭部の所定位置の一例を示す図である。
【図７】図２で示した異なる各色にカラーリングした前髪ウィッグを実際に装着した具体例を示す図である。
【図８】前髪ウィッグを装着した後のヘアカラーを検討している様子を示す図である。
【図９】選定されたヘアカラーによりカラーリングされた結果の一例を示す図である。
【図１０】前髪ウィッグによるヘアカラー選定の際に用いられるマスカラ及びペンシルの一例を示す図である。
【図１１】前髪ウィッグのヘアカラーの色に対する肌色と眉色との関係を示すグッドバランスシートの一例を示す図である。
【発明を実施するための形態】
【００１６】
以下、本発明の実施の形態について詳細に説明する。
【００１７】
＜本発明について＞
本発明は、例えば顧客にヘアカラーを選定させるために明るさと色相によって表される複数の異なる色に染色された前髪ウィッグを備えたヘアカラーチャートを提供する。また、本発明は、例えばこの前髪ウィッグを備えたヘアカラーチャートを用いて、ヘアカラーを選定する方法を提供する。具体的には、顧客は、まずこの前髪ウィッグを備えたヘアカラーチャートから前髪ウィッグを選択して試着し、試着しているヘアカラーが自分に似合っているか確認することで、実際に施術するためのヘアカラーを選定する。
【００１８】
＜従来のヘアカラーチャート＞
図１は、従来のヘアカラー選定のためのヘアカラーチャートを示す図である。図１に示すように、従来のヘアカラーチャート１０は、例えば縦方向に明るさレベル１１、横方向に色相レベル１２で表される色にしたがって染色されたナイロン等の小さな毛束のサンプル１３で構成されている。従来においては、この小さな毛束のサンプル１３が、ヘアカラーを選定する顧客に対して、ヘアカラー後の染まり上がりの色を伝えていた。
【００１９】
しかしながら、上述したように、顧客は、このような小さなサンプル１３では、ヘアカラー後の仕上がりのイメージがしにくいため、実際にどの色のヘアカラーが自分に似合うか判断することができなかった。また、ヘアカラーの色が、自分の肌の色や目の色との関係において、どのように自分の印象を変化させるのかイメージすることができなかった。
【００２０】
また、美容師等の施術者としても、顧客とのカウンセリング時において、ヘアカラー後のイメージが顧客との間で異なりやすく、顧客と美容師との間でヘアカラー後のイメージの共有化を図ることが難しいという問題があった。
【００２１】
次に、上述した問題を解決するための本発明の具体的な実施形態について説明する。
【００２２】
＜前髪ウィッグを備えたヘアカラーチャート＞
まず、図２を用いて、本実施形態に係るヘアカラー選定用に染色された前髪ウィッグを備えたヘアカラーチャートについて説明する。図２は、本実施形態に係るヘアカラー選定用に染色された前髪ウィッグを備えたヘアカラーチャートの一例を示している。
【００２３】
図２に示すように、ヘアカラー選定用に染色された前髪ウィッグ２１を備えたヘアカラーチャート２０は、明るさレベルと色相レベルによって表される複数の異なる色に染色された同一形状の前髪ウィッグ２１が集まった集合体である。
【００２４】
具体的には、ヘアカラーチャート２０は、例えば図１に示すような明るさレベル（例えばトーン１〜９等）、色相レベル（例えばオレンジ系、レッド系、イエロー系、マット系、パープル系等）のカラーチャートに対応させて複数の異なる色に染色された前髪ウィッグ２１を複数揃えたものである。
【００２５】
図２に示す前髪ウィッグ２１Ａ〜２１Ｈのうち、例えば前髪ウィッグ２１Ａは、図１のカラーチャートに対応させると、トーン８のイエロー系によって染色されたものであり、前髪ウィッグ２１Ｂは、トーン８のマット系によって染色されたものであり、前髪ウィッグ２１Ｃは、トーン８のパープル系によって染色されたものである。
【００２６】
本実施形態では、上述したように、ヘアカラーチャート２０として、図１に示すカラーチャートに対応させて染色させた前髪ウィッグ２１を用意しても良いが、例えばサロンや美容室毎に客層の傾向に合わせて、図１のカラーチャートのうちの一部に対応する色に染色された前髪ウィッグ２１を用意しても良い。
【００２７】
また、本実施形態によれば、人毛からなる前髪ウィッグ２１を用いることで、美容師等の施術者が、例えば図１のカラーチャートには含まれないオリジナルの色に染色させた前髪ウィッグ２１をヘアカラーチャート２０として用意することもできる。
【００２８】
なお、ヘアカラー選定用の前髪ウィッグ２１Ａ〜２１Ｈの裏側等には、例えば図１に示すカラーチャートの明るさレベル、色相レベルによって表されたどのヘアカラーの色で染色されたものであるかを示す識別情報が示されたタグ等を取り付けることができる。これにより、ヘアカラーチャートとして活用する前髪ウィッグ２１のヘアカラーを図１のカラーチャートに関連付けて管理することができる。
【００２９】
また、ヘアカラーチャート２０は、染色された複数の前髪ウィッグ２１を顧客が選択しやすい状態に、例えば色相別等にまとめておいても良い。
【００３０】
上述したように、本実施形態によれば、複数の異なる色に染色された前髪ウィッグ２１をヘアカラーチャート２０として活用することができる。
【００３１】
＜ヘアカラー選定手法＞
次に、図３を用いて、本実施形態に係るヘアカラー選定手法について説明する。図３は、本実施形態に係るヘアカラー選定手法を説明するための一例のフローチャートである。
【００３２】
図３に示すように、例えばビューティサロンや美容院等でヘアカラーを選定する際、顧客は、まずヘアカラーチャート２０からヘアカラー選定用に染色された前髪ウィッグ２１を選ぶ（Ｓ０１）。なお、ここで、顧客とは、ビューティサロンや美容院等を利用する顧客の他、ヘアカラーを購入しようとする一般の利用者も含む。
【００３３】
次に、Ｓ０１の処理において選んだ前髪ウィッグ２１を試着するため、顧客は、髪の毛をまとめるための例えばヘアバンド等をする（Ｓ０２）。これにより、顧客を前方から見た場合、顧客の髪の毛が見えない状態となり、顧客のフェースラインをすっきりと出すことが可能となる。なお、髪の毛が長い場合には、例えば顧客の髪の毛を後ろに結び、ヘアバンド等をしても良い。
【００３４】
次に、Ｓ０２の処理により髪の毛をまとめた後、顧客の頭部の所定位置に、Ｓ０１の処理において選んだ前髪ウィッグ２１を着ける（Ｓ０３）。
【００３５】
ここで、顧客の頭部の所定位置に前髪ウィッグ２１を着ける場合には、例えば前髪ウィッグの裏側に設けられた固定ピン等の取り付け部によって着けると良い。なお、前髪ウィッグ２１を顧客の頭部に着ける所定位置については後述する。
【００３６】
次に、前髪ウィッグ２１の髪の毛を加熱する例えばアイロン等の加熱手段を用いて、Ｓ０３の処理により前髪ウィッグ２１を着けた顧客の雰囲気が、自然な雰囲気となるように前髪ウィッグ２１を顧客にフィットさせる（Ｓ０４）。
【００３７】
ここで、例えば美容師等の施術者は、Ｓ０３の処理により顧客に着けた前髪ウィッグ２１の前髪部分をアイロン等により加熱して、顧客の頭及び額の形に合わせて前髪部分に丸みを形成し、前髪ウィッグ２１を着けた顧客の顔の輪郭に、前髪ウィッグ２１の毛の流れを沿わせ、馴染ませるように調整する。なお、Ｓ０３、Ｓ０４の処理は、美容師等の施術者によって前髪ウィッグ２１を着けた顧客に対して行うことができる。
【００３８】
次に、顧客は、Ｓ０４の処理により前髪ウィッグ２１を馴染ませた状態で、ヘアカラーの色が、自分に似合うか否かを検討する（Ｓ０５）。ここで、顧客は、美容師等の施術者と相談しながら、例えばヘアカラーの色が自分の肌や自分の目の色に似合うか否か、ヘアカラーによって印象がどのように変わるか、イメージと合うか否か等について検討することができる。
【００３９】
このように、実際に染色された前髪ウィッグ２１を使うことで、顧客は、リアリティのある具体的な仕上がりを、実際にイメージしながらヘアカラーを選定することが可能となる。また、顧客と美容師等との間でヘアカラー施術後のイメージに対し共通の認識をもつことが可能となる。
【００４０】
次に、顧客は、このヘアカラーの色で良いか否か判断する（Ｓ０６）。良いと判断した場合には（Ｓ０６において、ＹＥＳ）、試着している前髪ウィッグ２１のヘアカラーの色に対応するヘアカラーを選定し（Ｓ０７）、選定したヘアカラーを施術することにより、イメージ通りのヘアカラーを実現することが可能となる。
【００４１】
なお、他のヘアカラーの色を試したい等、このヘアカラーの色で良いと判断しなかった場合（Ｓ０６において、ＮＯ）、Ｓ０１の処理に戻る。このとき、Ｓ０２の処理は省略する。
【００４２】
次に、上述した各選定手順における具体例について、図を用いて説明する。
【００４３】
＜Ｓ０２：ヘアバンド例＞
図４は、Ｓ０２の処理において顧客が行うヘアバンド装着の一例を示している。図４（Ａ）は、顧客が髪の毛を後ろに結んだ後、ヘアバンドを装着したときの様子を前方から見た図である。また、図４（Ｂ）は、図４（Ａ）の顧客を横から見た図である。
【００４４】
図４（Ａ）、図４（Ｂ）に示すように、顧客は、Ｓ０１の処理で選んだ前髪ウィッグ２１を試着する前に、まず顧客自身の髪の毛３０を後ろに結んでまとめ、ヘアバンド４０を装着する。なお、ヘアバンド４０は、顧客のフェースラインをしっかりと出すために細すぎず、顧客の頭にしっかりとフィットするように厚みがあるものより薄めのものの方が良い。
【００４５】
これにより、顧客を前方から見た場合に、顧客の髪の毛３０が見えない状態となり、顧客のフェースラインをすっきりと出すことが可能となる。
【００４６】
したがって、この状態で前髪ウィッグ２１を装着することで、前方から見たときに顧客の顔回りに見える髪の毛を全て前髪ウィッグ２１の髪の毛とすることができ、顧客は、ヘアカラーを施術したときの様子を前髪ウィッグ２１により正確に視認することができる。
【００４７】
＜Ｓ０３：前髪ウィッグの具体例＞
図５は、ヘアカラーチャートを構成する前髪ウィッグの具体例を示している。また、図６は、前髪ウィッグを着ける顧客の頭部の所定位置の一例を示している。なお、図５（Ａ）は、前髪ウィッグの表側を示しており、図５（Ｂ）は、前髪ウィッグの裏側を示している。
【００４８】
図５（Ａ）に示すように、前髪ウィッグ２１を表側２２Ａから見ると、ヘアカラーチャート２０に用いられる前髪ウィッグ２１は、例えば顧客の頭部前面から顔の額を所定の領域以上覆う前髪部分２３と、顔の両サイドの輪郭に沿って流れるサイド部分２４とから構成されている。
【００４９】
ここで、顔の額を所定の領域以上覆うとは、例えば顧客が前髪ウィッグ２１を試着して、上述したＳ０５の処理において正面の顔、斜めの顔、横の顔等と角度を変えながらヘアカラーの色が自分に似合っているかを検討する際に、前髪部分２３が、例えば顔の肌色や目の色に対するヘアカラーの色みを確認することが可能な程度、すなわち前髪ウィッグ２１がカラーチャートとしての機能を果たすことが可能な程度、顔の額の所定の領域以上の範囲を覆っていることを示す。例えば、鏡に映る額の領域全体に対して約５０％以上の範囲等と設定することができるが、本発明については特にこれに限定されるものではない。
【００５０】
前髪ウィッグ２１は、このような構成を有していることにより、顧客は、前髪ウィッグ２１を試着して、ヘアカラーを施術した後の顔回りの印象を検討し、仕上がりをイメージすることが可能となる。
【００５１】
また、図５（Ｂ）に示すように、前髪ウィッグ２１は、前髪ウィッグ２１の裏側２２Ｂに、例えば固定ピン等の取り付け部材２５が設けられており、例えば顧客の頭部の所定位置に着脱自在に装着することが可能である。なお、取り付け部材２５に、更に櫛状部材２５−１を設けて、顧客の髪の毛に取り付け可能としても良い。
【００５２】
また、前髪ウィッグ２１を顧客に装着する位置は、Ｓ０２の処理においてヘアバンド４０を装着した顧客のヘアバンド４０上の頭部の位置にすると良い。
【００５３】
具体的には、図６（Ａ）に示す頭部３１の点線（１）に示す正中線（センターパート）上にある位置で、図６（Ｂ）に示す頭部３１の頭の頂点から少し下に位置するポイント（２）のフロントフォーリングポイントと、頭部３１の耳の頂点であるポイント（３）のトップイヤーポイントの両側を結んだ頂点であるポイント（４）のトップポイントとの間の位置が望ましい。
【００５４】
なお、上述した前髪ウィッグ２１の素材は、人毛、又は例えばアイロン等の加熱（約４０度〜２２０度）を加えることで毛髪形状の変形が可能であり、変形を加えた毛髪形状を維持することが可能な耐熱用の化繊毛（人工毛）を使用することが可能である。
【００５５】
人毛の場合には、上述したように、例えば美容師等の施術者がカラーリングによって前髪ウィッグ２１を染色することにより、オリジナル色の前髪ウィッグ２１をヘアカラーチャートとして活用することができる。また、人毛の場合は、アイロン、ドライヤー、カラー巻き等により、スタイルを変更して、より自然な雰囲気によって、ヘアカラー施術後のイメージを得ることが可能である。
【００５６】
また、耐熱用の化繊毛の場合には、アイロンによりスタイルの変更が可能であると共に、一旦染色した後の色の劣化が少ないというメリットがある。
【００５７】
＜Ｓ０５：ヘアカラー検討＞
図７は、図２で示した異なる各色にカラーリングした前髪ウィッグを実際に装着した具体例を示している。また、図８は、前髪ウィッグを装着した後のヘアカラーを検討している様子を示している。
【００５８】
なお、図７（Ａ）は、イエロー系に染色された前髪ウィッグ２１Ａを装着した様子を示し、図７（Ｂ）は、マット系に染色された前髪ウィッグ２１Ｂを装着した様子を示し、図７（Ｃ）は、パープル系に染色された前髪ウィッグ２１Ｃを装着した様子を示している。
【００５９】
また、図７（Ｄ）は、レッド系に染色された前髪ウィッグ２１Ｅを装着した様子を示し、図７（Ｅ）は、オレンジ系に染色された前髪ウィッグ２１Ｇを装着した様子を示している。
【００６０】
図７に示すように、Ｓ０４までの処理において、顧客は、ヘアカラーを選定する前に１又は複数の前髪ウィッグを実際に装着して、試着を行い、Ｓ０５の処理において、図８に示すような手鏡により試着した状態を視認する。
【００６１】
これにより、顧客は、ヘアカラーを施術されたときの具体的な仕上がりのイメージすることが可能となる。したがって、Ｓ０５の処理における美容師等とのカウンセリングにおいて、例えば前髪ウィッグ２１を試着する前に想像していた自身のイメージよりも明るくなった、少し肌がくすんで見える等、顧客の印象がどのように変わるか具体的に検討することが可能となる。
【００６２】
また、例えばヘアカラーの色と、顧客の肌の色や目の色との関係から、顧客の顔回りの印象がどのように変わるか具体的に検討することが可能であるため、顧客や美容師のイメージに近いヘアカラーの色を選定することが可能となる。
【００６３】
ここで、図９は、選定されたヘアカラーによりカラーリングされた結果の一例を示している。本実施形態のヘアカラー選定方法を適用することで、図９（Ａ）の染色前（ＢＥＦＯＲＥ）の状態から、ヘアカラー及びヘアカット後の状態である図９（Ｂ）の染色後（ＡＦＴＥＲ）の状態となる。
【００６４】
このように、上述した実施形態によれば、例えばＰＣ上のシミュレーションとは異なり、実際に染色された前髪ウィッグ２１を使うことで、リアリティを持って具体的な仕上がりを、実際にイメージしながらヘアカラーを選択することが可能となる。
【００６５】
＜他の実施形態＞
次に、他の実施形態について説明する。他の実施形態では、例えば、上述したヘアカラー別に染色された前髪ウィッグ２１を用いてヘアカラーを選定する際に、前髪ウィッグ２１のヘアカラーと、眉毛をカラーリングするアイブローマスカラや眉を描くアイブローペンシルを施した眉色とを組み合わせて、ヘアカラーを選定する。これにより、ヘアカラー施術後の仕上がりのイメージをより具体的に得ることが可能となる。
【００６６】
まず、図１０を用いて、ヘアカラー選定の際に用いられるマスカラ及びペンシルの一例について説明する。図１０は、前髪ウィッグによるヘアカラー選定の際に用いられるマスカラ及びペンシルの一例を示している。
【００６７】
図１０（Ａ）は、眉色を変化させるアイブローマスカラの例を示している。図１０（Ａ）に示すように、アイブローマスカラ５０は、例えば色別に、イエロー系を表すＹＣタイプ、ライトブラウンを表すＮＨタイプ、オレンジ系を表すＹＷタイプ、ダークブラウンを表すＢＣタイプ、ナチュラルブランを表すＮＬタイプ、レッド系を表すＢＷタイプ等の様々な異なる色に眉毛の色を変化させるマスカラである。
【００６８】
また、図１０（Ｂ）は、眉色を変化させるアイブローペンシルの例を示している。図１０（Ｂ）に示すように、アイブローペンシル６０は、例えば色別にライトブラウンを表すＣタイプ、ナチュラルブラウンを表すＮタイプ、レッドブラウンを表すＷタイプ等の様々な異なる色で眉を描くことで眉色を変化させるペンシルである。
【００６９】
上述したＳ０５の処理において前髪ウィッグ２１を装着してヘアカラーの色が似合うか検討する際、装着している前髪ウィッグ２１のヘアカラーの色と、アイブローマスカラ５０、アイブローペンシル６０を用いて変化させた顧客の眉色とを合わせて確認することにより、よりヘアカラー施術後のイメージを具体化しながら、ヘアカラーを選定することが可能となる。
【００７０】
次に、図１１を用いて、前髪ウィッグ２１のヘアカラーの色に対して、予め似合う色として設定された肌色と眉色との関係が示されたグッドバランスシートについて説明する。図１１は、前髪ウィッグのヘアカラーの色に対する肌色と眉色との関係を示すグッドバランスシートの一例を示している。なお、グッドバランスシート７０は、上述したヘアカラー別に染色された前髪ウィッグ２１によるヘアカラー選定の際に用いることができる。
【００７１】
図１１に示すように、グッドバランスシート７０は、前髪ウィッグ２１のヘアカラーの色タイプ７１と、肌色タイプ７２と、眉色タイプ７３とから構成されている。
【００７２】
図１１に示す肌色タイプ７２は、イエローベースの肌色タイプ７２Ａと、ブルーベースの肌色タイプ７２Ｂに分類される。イエローベースの肌色タイプ７２Ａは、例えば黄みを感じる肌色を示し、ブルーベースの肌色タイプ７２Ｂは、例えば青みを感じる肌色を示す。
【００７３】
また、図１１に示すヘアカラーの色タイプ７１は、クール系７４、ナチュラル系７５、ウォーム系７６に分類される。クール系７４は、例えば黄みを感じるブラウンを表し、ナチュラル系７５は、ナチュラルなブラウンを表し、ウォーム系７６は、赤みを感じるブラウンを表す。
【００７４】
図１１（Ａ）は、上述したヘアカラーの色タイプに対するイエローベースの肌色タイプのグッドバランスシートを示している。なおイエローベースの肌色タイプ７２Ａとして、例えば黄みを感じる明るめの肌色８０と、黄みを感じる自然な肌色８１と、黄みを感じるやや暗めの肌色８２とを示している。
【００７５】
図１１（Ａ）に示すイエローベースの肌色タイプのグッドバランスシート７０Ａによれば、例えば、顧客の肌色が、肌色８０、肌色８１、肌色８２の３つの肌色タイプのいずれかの色に該当し、イエローベースの肌色タイプ７２Ａと認められた場合に、前髪ウィッグのヘアカラーがクール系７４である場合は、アイブローマスカラ５０のＹＣタイプの色、アイブローペンシル６０のＣタイプ又はＮタイプ（※１）の色が似合うことを示している。
【００７６】
また、前髪ウィッグ２１のヘアカラーがナチュラル系７５の場合、アイブローマスカラ５０のＮＨタイプ又はＮＬタイプ（※３）の色、アイブローペンシル６０のＮタイプの色が似合うことを示している。また、前髪ウィッグ２１のヘアカラーがウォーム系７６の場合、アイブローマスカラ６０のＹＷタイプの色、アイブローペンシル６０のＷタイプ又はＮタイプ（※２）の色が似合うことを示している。
【００７７】
図１１（Ｂ）は、上述したヘアカラーに対するブルーベースの肌色タイプのグッドバランスシートを示している。なおブルーベースの肌色タイプ７２Ｂとして、例えば、青みを感じる明るめの肌色８３と、青みを感じる自然な肌色８４と、青みを感じるやや暗めの肌色８５とを示している。
【００７８】
図１１（Ｂ）に示すブルーベースの肌色タイプのグッドバランスシート７０Ｂによれば、例えば、顧客の肌色が、肌色８３、肌色８４、肌色８５の３つの肌色タイプのいずれかの色に該当し、ブルーベースの肌色タイプ７２Ｂと認められた場合に、前髪ウィッグ２１のヘアカラーがクール系７４である場合は、アイブローマスカラ５０のＢＣタイプの色、アイブローペンシル６０のＣタイプ又はＮタイプ（※１）の色が似合うことを示している。
【００７９】
また、前髪ウィッグ２１のヘアカラーがナチュラル系７５の場合、アイブローマスカラ５０のＮＨタイプ又はＮＬタイプ（※３）の色、アイブローペンシル６０のＮタイプの色が似合うことを示している。また、前髪ウィッグ２１のヘアカラーがウォーム系７６の場合、アイブローマスカラ５０のＢＷタイプの色、アイブローペンシル６０のＷタイプ又はＮタイプ（※２）の色が似合うことを示している。
【００８０】
なお、図１１に示すように、上記（※１）〜（※３）は、（※１）の場合、髪色が明るいタイプは、アイブローペンシル６０のＣタイプ、髪色が暗いタイプは、アイブローペンシル６０のＮタイプが似合うことを示している。また、（※２）の場合、髪色が明るいタイプは、アイブローペンシル６０のＷタイプ、髪色が暗いタイプは、アイブローペンシル６０のＮタイプが似合うことを示している。また、（※３）の場合、髪色が明るいタイプは、アイブローマスカラ５０のＮＨタイプ、髪色が暗いタイプは、アイブローマスカラ５０のＮＬタイプが似合うことを示している。
【００８１】
上述したグッドバランスシート７０を、例えばヘアカラー選定方法のＳ０１の処理における前髪ウィッグ２１を選ぶ際に用いることで、顧客は、顧客の肌色に合う前髪ウィッグのヘアカラーの色タイプ７１から試着する１又は複数の前髪ウィッグ２１を選択しても良い。
【００８２】
また、Ｓ０５の処理において、グッドバランスシート７０にしたがって、装着した前髪ウィッグ２１のヘアカラーの色タイプ７１に合う眉色に、アイブローマスカラ５０、アイブローペンシル６０を用いて顧客の眉をメイクすることができる。
【００８３】
これにより、顧客は、顧客の肌色に合ったヘアカラー、及びヘアカラーに合った眉色に実際にメイクしたときの状態を確認することが可能となる。
【００８４】
なお、上述した例では、前髪ウィッグ２１のヘアカラーの色に対する肌色と眉色との関係を示すグッドバランスシートについて説明したが、本発明についてはこの限りではなく、例えば、上述したグッドバランスシートに、カラーリング剤のカラーによって分類された色タイプを表記してもよい。この場合には、顧客の肌色タイプに合ったヘアカラーの色タイプを選択した後、その色タイプに対応する１又は複数の前髪ウィッグ２１を顧客に与えて試着することができる。
【００８５】
上述したように、人毛の前髪ウィッグ２１の場合には、施術者は、カラーチャートに示された以外の例えばオリジナル色としての中間色を前髪ウィッグ２１に染色することが可能である。したがって、例えばカットした後の顧客に対して、次回の来店時までにオリジナルのヘアカラーに染色した前髪ウィッグ２１を用意しておく等、顧客それぞれに対するオリジナルのヘアカラーをアドバイスし、選定できるヘアカラーの幅を広げることも可能となる。
【００８６】
上述したように、本実施形態に係るヘアカラーチャート２０は、ヘアカラー選定に際し、店頭での顧客とのカウンセリングツールとして活用することができる。また、顧客に対してヘアカラーの色選びに安心感を与え、毛束見本よりも高い満足度を持たせることが可能となると共に、顧客と美容師との間で染まり上がりの髪色に対し共通の認識を持つことが可能となる。
【００８７】
このように、本発明によれば、例えば実際に染色された前髪ウィッグを使うことで、リアリティを持って具体的な仕上がりを、実際にイメージしながらヘアカラーを選定することが可能となる。
【００８８】
以上、本発明者によってなされた発明を好適な実施例に基づき具体的に説明したが、本
発明は上記実施例で説明したものに限定されるものではなく、その要旨を逸脱しない範囲
で種々変更可能である。
【符号の説明】
【００８９】
１０  従来のヘアカラーチャート
１１  明るさレベル
１２  色相レベル
１３  小さな毛束サンプル
２０  前髪ウィッグを用いたヘアカラーチャート
２１  前髪ウィッグ
２２Ａ  前髪ウィッグの表側
２２Ｂ  前髪ウィッグの裏側
２３  前髪部分
２４  サイド部分
２５  取り付け部材
２５−１  櫛状部材
３０  髪の毛
３１  頭部
４０  ヘアバンド
５０  アイブローマスカラ
６０  アイブローペンシル
７０  グッドバランスシート
７１  前髪ウィッグのヘアカラーの色タイプ
７２  肌色タイプ
７３  眉色タイプ
７４  クール系
７５  ナチュラル系
７６  ウォーム系
８０  黄みを感じる明るめの肌色
８１  黄みを感じる自然な肌色
８２  黄みを感じるやや暗めの肌色
８３  青みを感じる明るめの肌色
８４  青みを感じる自然な肌色
８５  青みを感じるやや暗めの肌色
【図３】
2011143080.tif 000003
【図６】
2011143080.tif 000004
【図１０】
2011143080.tif 000005
【図１１】
2011143080.tif 000006
【図１】
2011143080.tif 000007
【図２】
2011143080.tif 000008
【図４】
2011143080.tif 000009
【図５】
2011143080.tif 000010
【図７】
2011143080.tif 000011
【図８】
2011143080.tif 000012
【図９】
2011143080.tif 000013